(57)【特許請求の範囲】
【請求項１】
真空掃除機の延長管に設けられ、吸い込まれる空気に対してうず巻き気流を発生させるサイクロン胴体と、前記うず巻きの逆流される気流をろ過するグリルを備えた真空掃除機のサイクロン集塵装置において、
前記サイクロン胴体に結合されたサイクロンカバーと、取り外しが可能である状態で該サイクロンカバーに対して結合してある汚物回収桶とを有し、
該サイクロンカバーは、上記グリルを囲むカバー胴体と、該カバー胴体の下側部にあって該カバー胴体の外側に接して膨らんで球面形状の一部をなし、該サイクロンカバーの下側部まで繋がる汚物誘導路とを有し、且つ、その底面は、該カバー胴体に対応する部分が閉鎖段でもって塞がれており、上記汚物誘導路に対応する部分に貫通孔を有する構成であることを特徴とする真空掃除機のサイクロン集塵装置。
【請求項２】
請求項１に記載の真空掃除機のサイクロン集塵装置において、
上記サイクロンカバーの底面は、上記カバー胴体の直径両端から接線方向に両側が同じ長さ及び同じ方向に該カバー胴体の側方向に延び、延びた長さ終端で円弧をなす形状であることを特徴とする真空掃除機のサイクロン集塵装置。
【請求項３】
請求項２に記載の真空掃除機のサイクロン集塵装置において、
上記サイクロンカバーの底面のうち上記延びた長さ終端の円弧をなす該円弧は、上記カバー胴体の曲率より大きいことを特徴とする真空掃除機のサイクロン集塵装置。
【請求項４】
請求項１に記載の真空掃除機のサイクロン集塵装置において、
上記汚物回収桶は、上記貫通孔を通じて流入された汚物が回転しつつ落下するのに容易なように下側に傾斜して狭まっている形状であることを特徴とする真空掃除機のサイクロン集塵装置。
【発明の詳細な説明】
【０００１】
【発明の属する技術分野】
本発明は真空掃除機に係り、さらに詳しくは掃除機の吸入口を通じて吸い込まれる比較的大きい粒子の汚物を一次的にろ過して回収する真空掃除機のサイクロン集塵装置に関する。
【０００２】
【従来の技術】
サイクロン集塵装置は、遠心力を利用して流体内の粒子を分離する装置であって、構造が簡単であり高温及び高圧に耐えられる長所のため、かなり以前から産業現場で広く使われている。また、このサイクロン集塵装置を真空掃除機に付設し、掃除機の吸入口から吸い込まれる空気中に含まれた比較的粒子の大きい汚物、特にチリ紙やビニール類または髪の毛などのような汚物を１次的にろ過して集めることにより、これら汚物らが紙フィルターに回収されないようにして紙フィルターの取替周期を延ばせるサイクロン集塵装置を備えた真空掃除機も知られている。
【０００３】
図１は従来の技術に係るサイクロン集塵装置を備えた真空掃除機の斜視図である。従来のサイクロン集塵装置１０を備えた真空掃除機は汚物を吸い込むブラシ４と、ブラシ４を掃除機本体１に連結する延長管３及びフレキシブルな連結ホース２、汚物を集める紙フィルター７と、吸入動力を発生させるモーター部（図示せず）で構成される。大きな粒子の汚物を瀘すためのサイクロン集塵装置１０は延長管３の一端に装着されている。
【０００４】
ブラシ４は外部から汚物を吸い込む。ブラシ４を介して吸い込まれた各種汚物の含まれた空気はサイクロンカバー１２に流入される。この時、吸い込まれた空気はサイクロンカバー１２内でうず巻き、うず巻きの遠心力により空気中に含まれたチリ紙や  ビニール類または髪の毛などのような比較的大きい粒子の各種汚物が分離される。
【０００５】
分離された比較的大きい粒子の汚物はサイクロンカバー１２に積もり、汚物が除去された空気はサイクロンカバー１２の底面から再び上昇してサイクロンのグリル１１及び連結ホース２を介して掃除機本体１側に排出される。
【０００６】
しかし、前述したようなサイクロン集塵装置を備えた真空掃除機によれば、高いところに置かれた汚物を清掃するために延長管３よりブラシ４の位置を高める時、または無意識的にサイクロン集塵装置１０を傾けたりひっくり返すようになれば、サイクロンカバー１２内に積もったチリ紙やビニール類または髪の毛などのような汚物がサイクロンのグリル１１側に逆流する場合がある。このような汚物の逆流はサイクロン集塵装置のグリル１１を塞いでしまうため、これは清掃効率の低下及び動作不能を招くことになって汚物の逆流を防止しなければならない。
【０００７】
また、サイクロンカバー１２に汚物が一杯になった場合はサイクロンカバー１２を分離してサイクロンカバー１２内に一杯になった汚物を捨てなければならないので、サイクロン胴体のグリル１１が露出されグリルに積もったホコリが落ちて周辺を汚す心配があり、また誤った取扱いによりグリル１１が破損される場合も発生する。
【０００８】
【発明が解決しようとする課題】
本発明は前述した問題点を改善するために案出されたもので、位置変動について積もった汚物が逆流されグリルを塞ぐことを抑え、集まった汚物を捨てる場合もグリルについたホコリが落ちたりグリルが破損される心配を減らすことができる真空掃除機のサイクロン集塵装置を提供するところにその目的がある。
【０００９】
【課題を解決するための手段】
前述したような目的を達成するために本発明に係る真空掃除機のサイクロン集塵装置は、真空掃除機の延長管に設けられ、吸い込まれる空気についてうず巻き気流を発生させるサイクロン胴体と、前記うず巻きの逆流される気流をろ過するグリルを備えた真空掃除機のサイクロン集塵装置において、前記サイクロン胴体に結合され、底面の一部分が塞がっており、吸い込まれた汚物を汚物回収桶に誘導する汚物誘導路及び前記汚物回収桶を結合させるための第１結合部材が備わったサイクロンカバーを含み、前記汚物回収桶は前記第１結合部材に対応して結合する第２結合部材を備えている。
【００１０】
ここで、サイクロンカバーの底面はグリルの対向する部分が塞がっており、汚物誘導路が備わった方向に貫通孔が形成されたことが特徴である。
【００１１】
汚物回収桶を結合させるためにサイクロンカバーに備わった第１結合部材は、サイクロンカバーの下部に相互対向する方向に二つの結合溝で形成されることが望ましく、また汚物回収桶に備わる第２結合部材は、汚物回収桶の上部の第１結合部材のそれぞれの結合溝に対応する位置に二つの結合突起を備えることが望ましい。
【００１２】
【発明の実施の形態】
以下、添付した図面を参照して本発明の望ましい実施例について具体的に説明する。図２は本発明に係る真空掃除機のサイクロン集塵装置を示した分離斜視図である。図３は図２のサイクロンカバーと汚物回収桶の結合関係を示すための分離断面図である。そして、図４は図２のサイクロンカバーの底面図である。
【００１３】
図２ないし図４を参照するに、真空掃除機のサイクロン集塵装置はサイクロン胴体２０、サイクロンカバー３０及び汚物回収桶４０を含む。
【００１４】
サイクロン胴体２０は真空掃除機の延長管３に連結されるものであって、ブラシ（図示せず）で吸い込まれた空気を傾斜して引き込ませる吸入空気引入路２１（図５参照）と、サイクロンカバー３０から反射され上がってくる吸入空気をろ過するグリル２２と、グリル２２を介して吸い込まれる空気を掃除機本体に誘導する吸入空気排出路２３（図５参照）を備える。
【００１５】
サイクロンカバー３０はカバー胴体３１と、カバー胴体３１に延設された汚物誘導路３５を備える。
【００１６】
カバー胴体３１はサイクロン胴体２０の吸入空気引入路２１により傾斜して引き込まれる空気がうず巻き気流を形成するように具現する。この場合、カバー胴体３１は吸入空気引入路２１により引き込まれる空気がうず巻き気流を形成し易くするために円筒形で具現することが望ましい。カバー胴体３１の上部は開口されており、開口された上部の周りにはサイクロン胴体２０に結合できる少なくとも二つの結合突起３３が備わっている。
【００１７】
サイクロンカバー３０の底面はカバー胴体３１の直径両端から接線方向に両側が同じ長さ及び同じ方向にカバー胴体３１の側方向に延び、延びた長さ終端で一定の曲率で円弧をなす形状で具現される。ここで、延びた長さ終端でなす曲率はうず巻き気流の回転力を減少させるのに容易なようにカバー胴体３１の曲率以上になることが望ましい。また、サイクロンカバー３０の底面はグリル２２の対向する部分が塞がっている閉鎖段３５ｂを備え、汚物誘導路３５が備わった方向に貫通孔３５ａが形成されている。ここで、サイクロンカバー３０の底面の閉鎖段３５ｂはサイクロン集塵装置１０を傾けても汚物回収桶４０に積もった汚物が逆流されないようにすると共に、貫通孔３５ａを介して汚物が汚物回収桶４０に容易に排出されるようにカバー胴体３１と同じ円形でなされることが望ましい。
【００１８】
カバー胴体３１の下側部にはカバー胴体３１の外側に接して膨らんで球面形状の一部をなし、サイクロンカバー３０の延びた下側部まで繋がる汚物誘導路３５が備わっている。また、カバー胴体３１はうず巻きにより回転する汚物が汚物誘導路３５に流入できるようにカバー胴体３１と汚物誘導路３５の接合部分からサイクロンカバー３０の底面の閉鎖段３５ｂまで穴が開いてある貫通孔３１ａを備えている。
【００１９】
サイクロンカバー３０の下側部は、汚物回収桶４０が一定の長さ挿着できるように所定の長さ突出された形状で延びている。また、サイクロン  カバー３０の延びている下側部には汚物回収桶４０が結合され支持できるように第１結合部材３８ａ、３８ｂが形成されている。
【００２０】
汚物誘導路３５は球面形状の一部がカバー胴体３１の外側に接してサイクロンカバー３０の側方向に延びた下側部まで繋がる凸状をなしている。また、サイクロンカバー３０の下部の汚物誘導路３５の内周とカバー胴体３１の塞がっている底面部の間にはサイクロンカバー３０内で分離された汚物が汚物回収桶４０に流入できるように貫通孔３５ａが形成されている。
【００２１】
汚物回収桶４０はサイクロンカバー３０の汚物誘導路３５を通じて流入された汚物が積もる。汚物回収桶４０の上側部はサイクロンカバー３０の下側部の突出形状で延びた部分に挿入できるように対応する形状を持つ。また、汚物回収桶４０は汚物回収桶４０がサイクロンカバー３０の下側部に対応して挿入された時、挿入された汚物回収桶４０が抜け出ないように第１結合部材である結合溝３８ａ、３８ｂに結合され支持される第２結合部材である第２、第１結合突起３６ａ、３６ｂを持つ。
【００２２】
サイクロンカバー３０に備わった汚物誘導路３５に対応する汚物回収桶４０のの形状は貫通孔３５ａを通じて流入された汚物が回転しつつ落下するのに容易なように下側に傾斜して狭まることが望ましい。この場合、汚物回収桶４０の形状は汚物誘導路３０の方向のみ傾斜するように具現する事もでき、あるいは側断面から見る際汚物回収桶４０が左右対称になるように左右両側を傾斜して具現する事も出来る。
【００２３】
第２結合部材である第２、第１結合突起３６ａ、３６ｂはサイクロンカバー３０の下側に備わった第１結合部材である結合溝３８ａ、３８ｂに対応して結合されうるように汚物回収桶４０の上側部に、かつ第１結合部材３８ａ、３８ｂに対応する位置に設けられる。
【００２４】
本発明に係る実施例では、第１結合部材である結合溝３８ａ、３８ｂは二つの結合溝で形成される。また、第２結合部材である第２、第１結合突起３６ａ、３６ｂはサイクロンカバー３０に形成された結合溝に嵌着される第１結合突起３６ｂと、弾性力を持つ部材に設けられ前記サイクロンカバーに形成された他の結合溝に嵌め込まれ、弾性力を持つ部材に圧力を加えることによって結合状態を分離させることができる第２結合突起３６ａで具現される。
【００２５】
しかし、第１結合部材である結合溝３８ａ、３８ｂ及び第２結合部材である第２、第１結合突起３６ａ、３６ｂは前述したことに限らず、他の多様な変形によっても実施できる。例えば、複数個の第１結合部材を用意し、これに対応する数のそれぞれの第１結合部材に対応する第２結合部材で具現することができ、第１結合部材を嵌着する結合部材と着脱自在に嵌め込む結合部材で具現し、第２結合部材を第１結合部材に対応する結合溝で具現することもできる。
【００２６】
図５は図２のサイクロン集塵装置を概略的に示した断面図である。図５を参照して本発明に係る真空掃除機のサイクロン集塵装置の作用を説明する。
【００２７】
ブラシ（図示せず）を通じて吸い込まれた汚物を含有した吸入空気はサイクロン胴体２０の吸入空気引入路２１を経由してサイクロンカバー３０に引き込まれる。この時、サイクロン引入路２１はサイクロンカバー３０に引き込まれる吸入空気がうず巻きを発生させられるように所定の傾きで傾斜して具現される。
【００２８】
サイクロンカバー３０に引き込まれた吸入空気はグリル２２の周囲を回転しつつ落下する。この時、吸入空気に含まれた大きい粒子の汚物らはうず巻き気流を追って回転しつつ落下する。回転しつつ落下する吸入空気に含まれた大きい粒子の汚物らがサイクロンカバー３０の下側部に至れば、遠心力により貫通孔３１ａを経由して汚物誘導路３５に誘導される。
【００２９】
汚物誘導路３５に誘導された大きい粒子の汚物らは汚物誘導路３５の下側の貫通孔３５ａを通じてうず巻き気流を追って汚物回収桶４０に排出される。汚物回収桶４０に排出された大きい粒子の汚物はうず巻き気流により回転するが、サイクロンカバー３０の下部に備わった閉鎖段３５ｂにより上昇できず汚物回収桶４０内でだけ回転するようになる。
【００３０】
サイクロンカバー３０内で粒子の大きい汚物を汚物誘導路３５に誘導させてから残った残存うず巻き気流はサイクロンカバー３０の下部に備わった閉鎖段３５ｂにぶつかって上昇する。また、汚物回収桶４０内で回転するうず巻き気流は汚物回収桶４０の底面にぶつかって上昇するようになるが、大きい粒子の汚物らはサイクロンカバー３０の下部に備わった閉鎖段３５ｂにより上昇できず汚物回収桶４０に積もる。汚物回収桶４０から粒子が大きい汚物を残して上昇するうず巻き気流は、再び貫通孔３５ａを通じてサイクロンカバー３０に流入される。閉鎖段３５ｂにぶつかって上昇する気流と汚物回収桶４０から上昇する気流はグリル２２に引き込まれる。
【００３１】
グリル２２はサイクロンカバー３０の閉鎖段から反射され上昇したり粒子が大きい汚物を汚物回収桶４０に排出し、上昇して引き込まれる気流をろ過して吸入空気排出路２３に排出する。グリル２２により濾過された上昇気流は粒子が小さな汚物らだけ含有するようになり、このような上昇気流は吸入空気排出路２３を通じて掃除機本体（図示せず）に排出される。
【００３２】
次に、汚物回収桶４０に汚物が一杯になって使用者が汚物回収桶４０を空っぽにする動作を説明する。図２及び図３を参照するに、汚物回収桶４０は汚物回収桶４０の第２結合部材３６ａ、３６ｂによりサイクロンカバー３０の第１結合部材３８ａ、３８ｂに結合され支持されている。
【００３３】
本発明に係る真空掃除機のサイクロン集塵装置では第１結合部材３８ａ、３８ｂは二つの結合溝で形成し、第２結合部材３６ａ、３６ｂは第１結合突起３６ｂと第２結合突起３６ａで具現される。第１結合突起３６ｂはサイクロンカバー３０に形成された結合溝に嵌着され、第２結合突起３６ａは弾性力を持つ部材上に設けられサイクロンカバー３０に形成された他の結合溝に嵌め込まれ、弾性力を持つ部材に圧力を加えることによって結合状態を分離させることができるように具現される。
【００３４】
汚物回収桶４０に汚物が一杯になれば、使用者は着脱自在に嵌着された第２結合突起３６ａが設けられた弾性部材を押さえて下に引っ張りながらサイクロンカバー３０に形成された結合溝３８ａから第２結合突起３６ａを分離させる。次に、使用者は汚物回収桶４０を下部に斜めに引っ張りながら嵌着する第１結合突起３６ｂを第１結合部材の対応結合溝３８ｂから取り出せばよい。使用者は分離された汚物回収桶４０を空っぽにした後、再度サイクロンカバー３０に結合させる時は汚物回収桶４０の第２結合部材の嵌着する結合突起３６ｂをまず対応する第１結合部材の結合溝３８ｂに嵌め込んだ後第２結合部材の着脱自在に嵌着する結合突起３６ａを第１結合部材の結合溝３８ａ側に押さえて挿入させればよい。ここで、第２結合部材３６ａ、３６ｂは第１結合部材３８ａ、３８ｂのそれぞれの対応する結合溝にだけ結合すると説明したが、汚物回収桶４０を側断面が左右対称になるように具現し、第１結合部材３８ａ、３８ｂ及び第２結合部材３６ａ、３６ｂを側断面の中央部に位置するようにして結合方向に関係なく第２結合部材３６ａ、３６ｂを第１結合部材３８ａ、３８ｂに結合させる事も出来る。
【００３５】
本発明に係る真空掃除機のサイクロン集塵装置の実施例においてサイクロンカバー３０の汚物誘導路３５は球面形状の一部を成すと説明したが、これに限らず弓肘（エルボウ）形状のような他の変形された形状で具現する事も出来る。
【００３６】
また、第１結合部材は二つの結合溝で具現し、第２結合部材は第１結合部材に対応する結合部材で具現したが、第１結合部材及び第２結合部材はこれに限らず、多様な  変形を加えて具現する事も出来る。例えば、第２結合部材を汚物回収桶の上側周縁に突出したリブで具現し、第１結合部材は第１結合部材の締結及び外しが容易な締結手段で具現する事も出来る。
【００３７】
汚物回収桶をサイクロンカバーに着脱自在に連結できる独立部材で具現することによって、汚物回収桶に一杯になった汚物を捨てる時もサイクロンカバーは分離する必要がないのでグリルの破損を防止できる。
【００３８】
【発明の効果】
以上述べた通り、本発明によれば、いかなる姿勢で清掃をしても集塵装置の汚物回収桶に積もった汚物が逆流されグリルを塞ぐことを防止し、集まった汚物を捨てる場合もグリルについていたホコリが落ちたりグリルが破損される心配のない真空掃除機のサイクロン集塵装置を提供できる。
【図面の簡単な説明】
【図１】従来の技術に係るサイクロン集塵装置を備えた真空掃除機の斜視図である。
【図２】本発明に係る真空掃除機のサイクロン集塵装置を示した分離斜視図である。
【図３】図２のサイクロンカバーと汚物回収桶の結合関係を示すための分離断面図である。
【図４】図２のサイクロンカバーの底面図である。
【図５】図２のサイクロン集塵装置が結合された状態を概略的に示した断面図である。
【符号の説明】
１０    サイクロン集塵装置
２０    サイクロン胴体
２１    引入空気引入路
２２    グリル
２３    吸入空気排出路
３０    サイクロンカバー
３１    カバー胴体
３１ａ、３５ａ  貫通孔
３３    結合突起
３５    汚物誘導路
３６ａ  第２結合突起
３６ｂ  第１結合突起
３８ａ、３８ｂ  結合溝
４０    汚物回収桶
【図１】
0003612650.tif 000002
【図２】
0003612650.tif 000003
【図３】
0003612650.tif 000004
【図４】
0003612650.tif 000005
【図５】
0003612650.tif 000006